(57)【要約】【課題】架空配設された光ドロップケーブルから直接光ファイバを分岐して家屋等に引き込むことが可能な光ファイバ配線箱を提供する。【解決手段】  ハウジング１内部に光ファイバ収容空間３、ファイバ接続部を保持する接続部保持部４を設け、ハウジング１上部に光ドロップケーブルの支持線７を挟持して保持する板状体２を設けた。板状体２の上面には分岐配線する光ファイバ８の支持線を引き留める引留部５を設け、光ドロップケーブルの光ファイバ群６を収容して、その光ファイバ群６から分岐した光ファイバ８を引き出し、光ファイバ８の支持線を引留部５に引き留め支持して家屋に直接引き込み可能とした。光ファイバ収容空間３は、フック部材１１により、光ファイバ群６と光ファイバ８を分離収容させた。【選択図】図１
2008257273.tif 000002
【特許請求の範囲】
【請求項１】
ハウジング内部に、光ファイバを収容するための光ファイバ収容空間と、光ファイバ接続部を保持する接続部保持部とを設ける一方、ハウジング上部に、光ドロップケーブルの支持線を保持する支持線保持手段を設け、該支持線保持手段により架空配設された光ドロップケーブルの支持線を保持してハウジングを懸架装着可能とし、前記ハウジング内に前記光ドロップケーブルに備えられた光ファイバ群を収容すると共に、その収容した光ファイバ群のうち少なくとも１本の光ファイバを分岐してハウジングから引き出し可能とし、
前記支持線保持手段は、
前記ハウジング上部に設けた板状体であって、上下に分割形成され、該板状体が支持線を挟持して保持し、
前記板状体は、
横長に形成されて前記ハウジング左右に突出部を有し、上面に引留部を配置すると共に、突出部下面とハウジング側面との間に、略三角形の空間を形成する方づえ状の脚部材を配設してなる、
ことを特徴とする光ファイバ配線箱。
【発明の詳細な説明】
【技術分野】
【０００１】
本発明は、電柱間等に光ファイバを架空配設して家屋等に引き込む際に使用する光ファイバ配線箱に関する。
【背景技術】
【０００２】
電柱間等に光ファイバを架空配設して家屋等に引き込む際に使用する従来の光ファイバ配線箱として、例えば特許文献１に示す光ファイバ収容器具（光ファイバ配線箱）がある。これは、光ファイバの支持線を引き留める引留部をハウジング上部に設け、この引留部に支持線を引き留めることで、光ファイバ配線箱から支柱等を経由することなく直接光ファイバを家屋等に引き込むことを可能としている。
【特許文献１】特開２００４−１２９４７０号公報（図７）
【発明の開示】
【発明が解決しようとする課題】
【０００３】
しかし、上記従来の光ファイバ配線箱は、複数本の光ファイバ（光ファイバ群）を備えた光ドロップケーブルが架空配設されている場合に、その光ファイバ群の中から分岐する光ファイバを分離し、分離した光ファイバを引き出す構成とはなっていない。そのため、そのような光ドロップケーブルから光ファイバを取り出して家屋等に引き込む場合は、光ケーブル用クロージャを用いて、一旦光ファイバ群をばらばらにして引き出し、光ケーブル用クロージャから個々の家屋等に光ファイバを配設する構成となっていた。
従って、いちいち光ケーブル用クロージャから個々の家屋まで配線工事をしなければならず大量の光ファイバが必要であったし、個々の光ファイバに対して特許文献１に示すような光ファイバ収容器具を用いて、或いは電柱等にフック金具等を使用して一旦支持した後、引き込み作業をしなければならなかった。
【０００４】
そこで、本発明はこのような問題点に鑑み、架空配設された光ドロップケーブルから直接光ファイバを分岐して家屋等に引き込むことが可能な光ファイバ配線箱を提供することを目的とする。
【課題を解決するための手段】
【０００５】
上記課題を解決する為に、請求項１の発明に係る光ファイバ配線箱は、ハウジング内部に、光ファイバを収容するための光ファイバ収容空間と、光ファイバ接続部を保持する接続部保持部とを設ける一方、ハウジング上部に、光ドロップケーブルの支持線を保持する支持線保持手段を設け、該支持線保持手段により架空配設された光ドロップケーブルの支持線を保持してハウジングを懸架装着可能とし、前記ハウジング内に前記光ドロップケーブルに備えられた光ファイバ群を収容すると共に、その収容した光ファイバ群のうち少なくとも１本の光ファイバを分岐してハウジングから引き出し可能とし、前記支持線保持手段が、前記ハウジング上部に設けた板状体であって、上下に分割形成され、該板状体が支持線を挟持して保持し、前記板状体が、横長に形成されて前記ハウジング左右に突出部を有し、上面に引留部を配置すると共に、突出部下面とハウジング側面との間に、略三角形の空間を形成する方づえ状の脚部材を配設してなることを特徴とする。
この構成により、支持線保持手段により光ドロップケーブルの支持線に懸架保持して、予め架空配設した光ドロップケーブルから光ファイバを分岐させて家屋等に引き込むことが可能となり、新たに光ファイバを架空配設する必要がなくなる。また、支持線に懸架させることで別途メッセンジャワイヤを敷設することなく架空設置することができる。従って、延線費用も抑制できる。
また、支持線は、板状体で挟持されるので、支持線の安定した保持が可能であり、光ファイバ配線箱を良好に懸架できる。
また、板状体を長く形成することで板状体上に多くの引留部を形成できるし、脚部材と板状体とで囲まれた略三角形の空間を、例えばメッセンジャワイヤに光ファイバ配線箱を取り付けるための結束材支持空間として使用でき、支持線以外の部材に容易に取り付けでき、設置対象を拡大できる。
【発明の効果】
【０００６】
本発明によれば、支持線保持手段により光ドロップケーブルの支持線に懸架保持して、予め架空配設した光ドロップケーブルから光ファイバを分岐させて家屋等に引き込むことが可能となり、新たに光ファイバを架空配設する必要がなくなる。また、支持線に懸架させることで別途メッセンジャワイヤを敷設することなく架空設置することができる。従って、延線コストも抑制できる。
【発明を実施するための最良の形態】
【０００７】
以下、本発明を具体化した実施の形態を、図面に基づいて詳細に説明する。図１〜図４は本発明に係る光ファイバ配線箱の一例を示し、図１はハウジングを開いた状態の正面図、図２〜図４は順にハウジングを閉じた状態の平面図、正面図、右側面図を示している。
図において、１ａはハウジングの本体、１ｂはハウジングの蓋体、２は板状体であり、本体１ａと蓋体１ｂとでハウジング１は構成され、板状体２は本体１ａ上部に形成されている。ハウジング１内部には光ファイバ余長分を収容する光ファイバ収容空間３、及び光ファイバ接続部を保持する接続部保持部４が備えられ、板状体２の上面には、支持線を引き留める引留部５が設けられている。そして、全体は合成樹脂による樹脂成形で形成されている。尚、６は光ドロップケーブルのうち支持線を分離した例えば１２芯の光ファイバ群、７は光ドロップケーブルの支持線、８は分岐された例えば２芯の光ファイバを示している。
【０００８】
ハウジング１は、上下及び左右方向に広く、更に中央部を上下方向に膨らみを持たせた略四角形の箱体であり、本体１ａと蓋体１ｂとは箱体を前後方向に略２分割して形成されている。両者は下辺が蝶着され、上下方向に開閉操作が可能となっている。そして、光ファイバ収容空間３はハウジング１の中央に配置され、接続部保持部４は光ファイバ収容空間３を挟むように上下に配置されている。
【０００９】
光ファイバ収容空間３には、光ファイバ群６及び光ファイバ８を良好に巻回収容するための案内壁１０が、本体１ａの背面から前方に向けて立設され、閉塞した蓋体１ｂの前面に至る高さを有して形成されている。この案内壁１０は、ハウジング１中央から左右対称に形成され、中央近傍に配置した一対の内側案内壁１０ａと、光ファイバ収容空間３の左右端部に配置した外側案内壁１０ｂとから成り、左右に２つの光ファイバ案内路を形成している。内側案内路１０ａは、巻回する光ファイバの曲率に合わせて湾曲した壁面を備え、外側案内壁１０ｂは巻回した光ファイバの外側を支持するよう配置されている。
このように形成された２つの光ファイバ案内路を持つ光ファイバ収容空間３に、光ファイバ群６及び光ファイバ８を夫々巻回収容できるし、８の字に連続して巻回収容することもできる。
【００１０】
また、この案内壁１０を備えた光ファイバ収容空間３を、前後方向に分離する分離収容手段としてのフック部材１１が本体１ａ背面から前方に向けて突設されている。フック部材１１は、図５の拡大説明図に示すように、略Ｔ字状の第１フック部材１１ａと略Ｆ字状の第２フック部材１１ｂとで構成され、光ファイバ収容空間３を前後方向に分離する分離片１２と、収容した光ファイバ群６及び光ファイバ８を保持する保持片１３を備えている。
そして、第１フック部材１１ａは左右の光ファイバ案内路に夫々一対ずつ上下に配置され、第２フック部材１１ｂは左右の光ファイバ案内路に１個ずつ設けられ、本体１ａに設けた係止部１４に、係止突起１５を挿入係止して取り付けられている。
こうして、後方収容部と前方収容部とが形成され、例えば後方に分岐した光ファイバ８を収容し、前方に光ファイバ群６を収容して分離収容でき、分岐操作やメンテナンスがし易くなる。また、左右分離して巻回収容すれば、最大４種類の光ファイバを分離して収容できる。
【００１１】
接続部保持部４は、左右方向に光ファイバ接続部（図示せず）を配置して保持するよう構成され、上下に３個連設してハウジング１内に２箇所設けることで合計６個形成されている。こうして、合計１２個の光ファイバ接続部を保持可能となっている。
【００１２】
また、ハウジング１の左右側面１６には、光ファイバを挿通する挿通孔１７が設けられている。挿通孔１７は、光ファイバ群６を挿通する比較的大口径の第１挿通孔１７ａ、及び光ファイバ群６から分岐した光ファイバ８を引き出すための比較的小径の第２挿通孔１７ｂとで構成され、第１挿通孔１７ａは側面１６上部に配置され、第２挿通孔１７ｂはその下方に６個連設されている。これらの挿通孔１７は、本体１ａと蓋体１ｂとの境界部に設けられ、蓋体１ｂを開けることで各挿通孔１７は分割され、ハウジング１前方から光ファイバ群６或いは光ファイバ８を容易に挿通操作できるよう形成されている。
【００１３】
更に、左右側面１６に近接するハウジング１内左右には、側面１６に平行な壁面１ ９ が形成され、この壁面１９により、ハウジング１を閉じた際に、ハウジング中央の空間とは別に、側面１６との間に閉塞空間２１を形成している。そして、壁面１９の個々の挿通孔１７に対応する部位に、光ファイバ群６或いは光ファイバ８を挿通する支持孔２０が設けられている。この支持孔２０も、本体１ａと蓋体１ｂとの境界部に形成され、蓋体１ｂを開けることで、分割される。この挿通孔１７と支持孔２０とで光ファイバ群を挿通する入出線部、及び光ファイバを引き出す引出部を構成している。
尚、壁面１９は３重に形成され、ハウジング１中央の空間の気密性を上げると共に、ハウジングの強度アップを図っている。
【００１４】
このように、ハウジング側面に設けた挿通孔と、ハウジング中央の空間との間に閉塞空間を設けたので、水が挿通孔から侵入しても閉塞空間に侵入するだけで済み、ハウジング内部への侵入を阻止でき、高い防水作用を発揮できる。
尚、蓋体１ｂの本体１ａに密着する周縁部にはパッキン２２が周設され、対応する本体１ａ開口部周縁にはパッキンを密着させる凸状帯２３が周設され、閉塞した際にハウジング内部全体の気密が保持されるよう形成されている。
【００１５】
一方、板状体２は左右に長く端部がハウジング１から突出し、且つ上下に分割形成されている。分割された一方の板状体下部２ｂはハウジング本体１ａに一体形成され、他方の板状体上部２ａは分離可能となっている。そして、図４に示すように分割面の中央には、左右方向に支持線７を収容する溝（支持線収容溝）２４が形成され、板状体２が支持線保持手段を構成し、ハウジング１を支持線７に懸架可能となっている。
溝２４はＺ字状に形成した分割面の段部に形成され、収容した支持線７を確実に保持するよう形成されている。また、図２に示すように、板状体上部２ａは、適宜位置でネジ２５により板状体下部２ｂ、即ちハウジング本体１ａに連結される。
【００１６】
そして、板状体２の上面に設けられている引留部５は、支持線７を巻回する巻回部５ａと、係止固定する固定部５ｂとから成り、巻回部５ａを左右端部に配置して固定部５ｂをその内側に配置している。更に、２列で形成することで、４個ずつ合計８個備え、同時に８本の支持線を無理なく引き留め可能に構成され、板状体を長く形成することで板状体上に多くの引留部を形成している。但し、この引留部５は分岐して引き出された光ファイバの支持線を引き留めるためのもので、光ドロップケーブルの支持線は、板状体２内に保持される。
尚、この実施形体では、左右端部のネジ２の取付部を最端部としているが、左右に設けた巻回部５ａに重ねて設けても良く、そうすることで板状体２の左右突出量を少なくできる。また、溝２４をＺ字状分割面に形成しているが、板状体２の分割面を平坦に形成し、例えば板状体上部２ａの下面分割面にＶ字状の溝を設けて形成することもできる。
【００１７】
更に、左右に突出した板状体２の下面からハウジング側面１６には方づえ状の脚部材２７が取り付けられている。この脚部材２７により、ハウジング１と板状体２との間に略三角形の空間２８が形成され、光ファイバ配線箱を支持線以外の部材にも容易に取り付けることを可能にしている。
このように、脚部材と板状体とで囲まれた空間を、例えばメッセンジャワイヤに光ファイバ配線箱を取り付けるための結束材支持空間として使用でき、支持線以外の部材に容易に取り付けることができ、設置対象を拡大している。
【００１８】
上記構成の光ファイバ配線箱は、次のように設置され使用される。最初に電柱等の支柱間に例えば１２芯の光ファイバ群６を備えた光ドロップケーブルが架空配設される。この光ドロップケーブルは、後に分岐配線し易いように支柱取付部において十分な余長分を設けておく。そして、家屋等に引き込む工事が発生したら、配設された光ドロップケーブルの家屋に近い部位に上記光ファイバ配線箱を設置する。
【００１９】
光ファイバ配線箱は余長分を備えた支柱近くに設置される。支柱間に渡されている光ドロップケーブルの支持線７を分離し、板状体２の溝２４に収容して挟持することで、光ファイバ配線箱は良好に支持線７に懸架できる。そして、光ファイバ群６を左右の第１挿通孔１７ａ、１７ａ間に挿通し、そのうちの所定の例えば２芯からなる１本の光ファイバ８を分岐する。この時、光ファイバ群６と光ファイバ８の接続部は、接続部保持部４に保持させる。また、光ファイバ８の余長分をフック部材１１により分離形成された光ファイバ収容空間３の後方収容部に収容し、光ファイバ群６の余長分を前方収容部に収容する。
このように、分岐した光ファイバ８を後方に、光ファイバ群６を手前にして収容することで、その後のメンテナンスや、増設に対応し易い。
そして、分岐した光ファイバ８は第２挿通孔１７ｂから引き出されて家屋に引き込まれる。この時、光ファイバ８の支持線は引留部５に引き留めることで、家屋への引き込み操作を支柱等に一旦支持させることなくスムーズに行うことができる。従って、引き止め部材が必要無くなる。
尚、光ファイバ群と引き出す光ファイバとの接続部は接続保持部４に保持される。
【００２０】
このように、支持線保持手段である板状体により光ドロップケーブルの支持線に懸架保持して、予め架空配設した光ドロップケーブルから光ファイバを分岐させて家屋等に引き込むことが可能となり、新たに光ファイバを架空配設する必要がなくなる。また、支持線に懸架させることで別途メッセンジャワイヤを敷設することなく架空設置することができる。従って、延線費用も抑制できる。
更に、横長の板状体全体で支持線を挟持するので、支持線の安定した保持ができ、光ファイバ配線箱を良好に懸架できる。
また、蓋体を開けて本体前面を開放することで、光ファイバ群のハウジング内への入出線操作を容易に行うことができるし、光ファイバ群の入出線部及び光ファイバの引出部が支持線と平行に設けられているので、支持線に懸架したハウジングに、支持線と分離した光ファイバ群を無理なく入出線させることができる。
また、送出する或いは挿入する光ファイバを支持孔で支持するので、光ファイバに加わるストレスを軽減できる。
【００２１】
尚、上記実施形体は、支持線保持手段を板状体２で挟持する構成としているが、他の構成でも良く、例えば別途吊り下げ金具をネジ止め等でハウジング１上部に取り付けるだけでも良い。このような構成は、上記実施形体においても容易に実施でき、図６の斜視図に示すように板状体上部２ａを取り外して、板状体下部２ｂに吊り下げ金具３０をネジ止めすることで容易に実施できる。更に、吊り下げ金具３０の支持線挿通孔を大きく形成しておけば、メッセンジャワイヤ等にも容易に懸架できる。
また、板状体２をハウジング１より長く形成しているが、引留部５の数を減らして左右の突出部を無くしても良い。
更に、引留部５は、分岐した光ファイバ８の支持線を引き留めるためのものであるが、光ドロップケーブルの支持線７を引き留め支持するために使用してもよい。
また、壁面１９を３重に形成してハウジング１中央部の密閉性の向上を図っているが、重ねず１重で形成しても良い。
また、光ファイバ配線箱全体を樹脂成形により形成しているが、アルミのような軽金属で作成することもできるし、ハウジング１と板状体２とを別部材で作製してもよい。
【図面の簡単な説明】
【００２２】
【図１】本発明に係る光ファイバ配線箱の実施形態の一例を示し、ハウジングを開けた状態の正面図である。
【図２】図１のハウジングを閉じた状態の平面図である。
【図３】図１のハウジングを閉じた状態の正面図である。
【図４】図１のハウジングを閉じた状態の側面図である。
【図５】分離収容手段の拡大斜視図である。
【図６】支持線保持手段の他の例を示す要部斜視図である。
【符号の説明】
【００２３】
１・・ハウジング、１ａ・・本体、１ｂ・・蓋体、２・・板状体（支持線保持手段）、３・・光ファイバ収容空間、４・・接続部保持部、５・・引留部、６・・光ファイバ群、７・・支持線、８・・光ファイバ、１１・・フック部材（分離収容手段）、１６・・側面、１７・・挿通孔、１９・・壁面、２０・・支持孔、２１・・閉塞空間、２４・・溝（支持線収容溝）、２７・・脚部材、３０・・吊り下げ金具（支持線保持手段）。
【図１】
2008257273.tif 000003
【図２】
2008257273.tif 000004
【図３】
2008257273.tif 000005
【図４】
2008257273.tif 000006
【図５】
2008257273.tif 000007
【図６】
2008257273.tif 000008